(57)【要約】【課題】本発明は除湿装置に関するもので、加熱手段に対する更なる安全性を確保するものである。【解決手段】そしてこの目的を達成するために本発明は、吸気口１と排気口２を有する本体ケース３内に設けられたヒートポンプ４を備え、このヒートポンプ４は、圧縮機５、放熱器６、膨張手段７、吸熱器８とにより形成し、吸気口１から本体ケース３内に吸気した空気を放熱器６、吸熱器８を順次介して排気口２へと送風する送風手段９を設け、放熱器６と吸熱器８の間に回動自在に除湿ローター１０を設け、この除湿ローター１０は放湿部１１と吸湿部１３とからなり、吸湿部１３は吸熱器８と排気口２との間の風路に設け、放湿部１１は放熱器６と吸熱器８との間の風路に設け、放熱器６と放湿部１１との間の風路に加熱手段１２を設け、この加熱手段１２はニクロムヒーター１８とＰＴＣヒーター１７とを電気的に直列接続したものである。【選択図】図１
2010234253.tif 000002
【特許請求の範囲】
【請求項１】
吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口との間の風路に設け、前記放湿部は前記放熱器と前記吸熱器との間の風路に設け、前記放熱器と前記放湿部との間の風路に加熱手段を設けた構成とし、この加熱手段はニクロムヒーターとＰＴＣヒーターとを電気的に直列接続することにより形成した除湿装置。
【請求項２】
加熱手段であるＰＴＣヒーターはニクロムヒーターよりは風路の上流側に設けた請求項１記載の除湿装置。
【請求項３】
加熱手段であるＰＴＣヒーターからなるＰＴＣヒーターユニットの加熱面積は、ニクロムヒーターからなるニクロムヒーターユニットの加熱面積より大きい請求項１または２に記載の除湿装置。
【請求項４】
加熱手段であるＰＴＣヒーターユニットが設けられる風路の風路断面積は、ニクロムヒーターユニットが設けられる風路の風路断面積より大きい請求項１〜３のいずれか一つに記載の除湿装置。
【請求項５】
ニクロムヒーターユニットは、ニクロムヒーターを設けたニクロムヒーター風路部分と、ニクロムヒーターを設けない通風路部とから形成され、ニクロムヒーター風路部分は通風路部より除湿ローターの回転方向において下流側に設けた請求項１〜３のいずれか一つに記載の除湿装置。
【請求項６】
ニクロムヒーターユニットは、ニクロムヒーターを設けたニクロムヒーター風路部分と、ニクロムヒーターを設けない通風路部とから形成され、ニクロムヒーター風路部分の上流側と下流側との両方に通風路部を設けた請求項１〜３のいずれか一つに記載の除湿装置。
【請求項７】
ニクロムヒーターユニットのニクロムヒーター風路部分と通風路部は略扇形形状である請求項５または６に記載の除湿装置。
【請求項８】
加熱手段であるＰＴＣヒーターユニットが設けられる風路の風路断面積はニクロムヒーターユニットが設けられる風路の風路断面積とほぼ同じである請求項５〜７のいずれか一つに記載の除湿装置。
【請求項９】
ＰＴＣヒーターユニットは略四角形である請求項３〜８のいずれか一つに記載の除湿装置。
【請求項１０】
ニクロムヒーターユニットの略扇形の角度は９０度で、略扇形の半径寸法はＰＴＣヒーターユニットの略四角形の一辺の寸法とほぼ同じである
請求項６〜９のいずれか一つに記載の除湿装置。
【発明の詳細な説明】
【技術分野】
【０００１】
本発明は、ヒートポンプを活用した除湿装置に関する。
【背景技術】
【０００２】
従来のこの種の除湿装置の構成は以下のようになっていた。
【０００３】
すなわち、吸気口と排気口を有する本体ケースと、この本体ケース内に設けられたヒートポンプとを備え、このヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた（例えば、これに類似する先行文献は下記特許文献１に記載されている）。
【０００４】
近年、さらに除湿能力の高い除湿装置が求められ、ヒートポンプに除湿ローターを組み合わせて除湿能力を高めた除湿装置が開発された。
【０００５】
すなわち、上記送風手段の風路であって、放熱器と吸熱器の間には除湿ローターを、また、この除湿ローターと放熱器の間には加熱手段を設け、まず、吸熱器部分で結露、除湿回収できなかった湿気をこの除湿ローターで吸湿する。次に、この除湿ローターへ放熱器および加熱手段によって加熱された空気を送風し、その空気に湿気を放湿させ、再度吸熱器へ送風することにより結露させ除湿することによって除湿能力を高めようとする構成とするものである（例えば、これに類似する先行文献は下記特許文献２に記載されている）。
【特許文献１】特開平０６−３３１１６７号公報
【特許文献２】特開２００６−１０２５７８号公報
【発明の開示】
【発明が解決しようとする課題】
【０００６】
上記従来例における課題は、除湿装置に対する更なる安全性を向上させなければならないということであった。
【０００７】
すなわち、従来の物においては、吸気口に埃などが詰まり加熱手段への送風が減少すると、加熱手段の温度が上昇し、異常状態となり、安全上好ましくないものであった。
【０００８】
そこで、加熱手段には温度ヒューズを設けていた。この温度ヒューズにより、加熱手段が高温の異常状態となると、加熱手段への通電を遮断することにより、加熱手段の安全性を確保していた。
【０００９】
しかし、温度ヒューズが所定の温度で動作しない場合には、加熱手段が高温の異常状態となり、温度ヒューズ等の安全装置の動作異常に対する安全性の向上も課題となっていた。
【００１０】
そこで本発明は、加熱手段に対する更なる安全性の向上を目的とするものである。
【課題を解決するための手段】
【００１１】
そしてこの目的を達成するために本発明は、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口との間の風路に設け、前記放湿部は前記放熱器と前記吸熱器との間の風路に設け、前記放熱器と前記放湿部との間の風路に加熱手段を設けた構成とし、この加熱手段はニクロムヒーターとＰＴＣヒーターとを電気的に直列接続することにより形成したものであり、これにより、初期の目的を達成するものである。
【発明の効果】
【００１２】
以上のように本発明は、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口との間の風路に設け、前記放湿部は前記放熱器と前記吸熱器との間の風路に設け、前記放熱器と前記放湿部との間の風路に加熱手段を設けた構成とし、この加熱手段はニクロムヒーターとＰＴＣヒーターとを電気的に直列接続することにより形成したものであり、加熱手段の温度上昇に対する更なる安全性を確保することができるものである。
【００１３】
すなわち、放熱器と放湿部との間の風路に設けた加熱手段は、ニクロムヒーターとＰＴＣヒーターとを電気的に直列接続し形成しているので、吸気口に埃などが詰まり加熱手段への送風が減少すると、まず、ＰＴＣヒーターはある温度まで高くなるが、そこで、ＰＴＣヒーターの特性として、ＰＴＣヒーターの電気抵抗も大きくなり、発熱量が低下し、ＰＴＣヒーターの温度は一定に制御される。また、ニクロムヒーターはＰＴＣヒーターと電気的に直列接続されているので、ＰＴＣヒーターの電気抵抗が大きくなると、ＰＴＣヒーターでの電圧降下が大きくなるので、それに伴い、ニクロムヒーターへの供給電圧が低くなり、ニクロムヒーターの発熱量が低下し、ニクロムヒーターの温度上昇は抑制される。つまり、加熱手段への送風が減少した場合に、ニクロムヒーターとＰＴＣヒーターとを電気的に直列接続しているので、ＰＴＣヒーターはＰＴＣヒーター自身の温度を一定に制御出来るとともに、ニクロムヒーターの温度上昇も抑制することが出来るものである。
【００１４】
これらの結果により、除湿ローターの開口が塞がることにより、除湿ローターを通過する風量が低下しても、加熱手段に対する更なる安全性の向上ができるものである。
【発明を実施するための最良の形態】
【００１５】
以下、本実施形態を添付図面を用いて説明する。
【００１６】
（実施の形態１）
図１に示すように、本実施形態の除湿装置は、吸気口１と排気口２を有する本体ケース３と、この本体ケース３内にヒートポンプ４を備えている。このヒートポンプ４は、圧縮機５、放熱器６、膨張手段７、吸熱器８とにより形成されている。
【００１７】
送風手段９によって、吸気口１から本体ケース３内に吸気した空気を放熱器６、吸熱器８を順次介して排気口２へと送風する。
【００１８】
放熱器６と吸熱器８の間には、回動自在に除湿ローター１０を設けている。この除湿ローター１０は放湿部１１と吸湿部１３とからなり、吸湿部１３は吸熱器８と排気口２との間の風路に設け、放湿部１１は放熱器６と吸熱器８との間の風路に設けている。また、放熱器６と放湿部１１との間には加熱手段１２を設けている。
【００１９】
以上の構成における除湿動作について説明する。送風手段９によって吸気口１から本体ケース３内に吸気した空気は、放熱器６で加熱された後に加熱手段１２で更に加熱され、高温で相対湿度の低い空気となり、除湿ローター１０の放湿部１１へ送風される。
【００２０】
この放湿部１１に送風された空気は、放湿部１１の湿気を取り込み湿度の高い状態となって吸熱器８へ送られる。この吸熱器８で結露させて除湿し、吸湿部１３に達する。そこで、乾燥状態となった除湿ローター１０の放湿部１１が駆動手段１６によって回転し、吸湿部１３となり、この吸湿部１３で吸熱器８で除湿されなかった湿度を吸湿し除湿する。
【００２１】
本実施形態における特徴は、加熱手段１２の構成にある。この加熱手段１２は図２および図３に示すようにニクロムヒーター１８とＰＴＣヒーター１７とから構成され、これらのニクロムヒーター１８とＰＴＣヒーター１７とは電気的に直列接続されている。
【００２２】
ニクロムヒーター１８はニクロム線をらせん状に加工し、固定枠１９に固定された構造であり、また、ニクロムヒーター１８から成るニクロムヒーターユニット２０は略扇形形状である。
【００２３】
図１に示すように、ＰＣＴヒーター１７は中央部に複数の平板状のＰＴＣ素子２１が並び、そのＰＴＣ素子２１を挟むように蛇行状のフィン２２を設けている。このＰＣＴヒーター１７はこのＰＴＣ素子２１の両側のフィン２２に通電することにより、中央のＰＴＣ素子２１が発熱する。但し、フィン２２への送風によってＰＴＣ素子２１の発熱が奪われるとＰＴＣ素子２１は発熱を繰り返すが、フィン２２への送風が無いとＰＴＣ素子２１の発熱が奪われないため、ＰＴＣ素子２１の発熱が抑制されるものである。また、複数のＰＣＴヒーター１７から成るＰＴＣヒーターユニット２３は略四角形である。この、ＰＴＣヒーターユニット２３の略四角形の一辺の寸法は、ニクロムヒーターユニット２０の略扇形の半径寸法とがほぼ同じである。
【００２４】
このように、放熱器６と放湿部１１との間の風路に設けた加熱手段１２は、ニクロムヒーター１８と複数のＰＴＣヒーター１７とを電気的に直列接続され構成されているので、吸気口に埃などが詰まり加熱手段１２への送風が減少すると、まず、ＰＴＣヒーター１７の温度が高くなる。そこで、ＰＴＣヒーター１７の特性として、ＰＴＣヒーター１７の電気抵抗も大きくなり、発熱量が低下し、ＰＴＣヒーター１７の温度は一定に制御される。また、ニクロムヒーター１８はＰＴＣヒーター１７と電気的に直列接続されているので、ＰＴＣヒーター１７の電気抵抗が大きくなると、ＰＴＣヒーター１７での電圧降下が大きくなるので、それに伴い、ニクロムヒーター１８への供給電圧が低くなり、ニクロムヒーター１８の発熱量が低下し、ニクロムヒーター１８の温度上昇は抑制される。つまり、加熱手段１２への送風が減少した場合に、ニクロムヒーター１８とＰＴＣヒーター１７とを電気的に直列接続しているので、ＰＴＣヒーター１７はＰＴＣヒーター１７自身の温度を一定に制御出来るとともに、ニクロムヒーター１８の温度上昇も抑制することが出来るものである。
【００２５】
これらの結果により、除湿ローターの開口が塞がることにより、除湿ローターを通過する風量が低下しても、加熱手段に対する更なる安全性の向上ができるものである。
【００２６】
また、加熱手段としてＰＴＣヒーター１７のみを使用した場合には、ＰＴＣヒーター１７の特性として、温度が低い場合にはＰＴＣヒーター１７の電気抵抗も小さいので、運転開始時のＰＴＣヒーター１７への突入電流値が高くなり、ＰＴＣヒーター１７の寿命を低減させる原因であった。そこで、加熱手段がニクロムヒーター１８とＰＴＣヒーター１７とを電気的に直列接続された構成とすることにより、回路としては、ＰＴＣヒーター１７の電気抵抗と更にニクロムヒーター１８の電気抵抗が加算される。すなわち、加熱手段１２としてＰＴＣヒーター１７のみを使用した場合に比べ、加熱手段１２がニクロムヒーター１８とＰＴＣヒーター１７とを電気的に直列接続された場合には、ニクロムヒーター１８の電気抵抗によって運転開始時のＰＴＣヒーター１７への突入電流値を低減することができるものである。
【００２７】
また、加熱手段１２であるＰＴＣヒーター１７をニクロムヒーター１８の上流側に設けたものである。具体的には、放熱器６と除湿ローター１０の放湿部１１の間には加熱手段１２を設けているので、吸気口１から本体ケース３内に吸気した空気は、放熱器６から加熱手段１２であるＰＴＣヒーター１７をまず通過し、次にニクロムヒーター１８を介し除湿ローター１０へと送風されるものである。
【００２８】
このように、吸気口１から本体ケース３内に吸気した空気は、まず、放熱器６で暖められる。次に、加熱手段１２であるＰＴＣヒーター１７で加熱され、更に加熱手段１２であるニクロムヒーター１８によって一層加熱され、除湿ローター１０へと送風されるものである。
【００２９】
ここで、加熱手段１２であるＰＴＣヒーター１７とニクロムヒーター１８での加熱動作について説明する。まず、加熱手段１２であるＰＴＣヒーター１７では、ＰＴＣヒーター１７のＰＴＣ素子２１で発熱した熱が、ＰＴＣ素子２１からフィン２２に伝わり、このフィン２２に空気が当たる。この時に、空気の流れをフィン２２によって整流しながら加熱する。次に、加熱手段１２であるニクロムヒーター１８では、ニクロムヒーター１８のニクロム線で発熱し、ニクロム線に空気が当たることにより、空気が加熱されるとともに、ニクロムヒーター１８のニクロム線で発熱した熱が直接、除湿ローター１０の放湿部１１を加熱するものである。
【００３０】
すなわち、加熱手段１２であるＰＴＣヒーター１７とニクロムヒーター１８では、空気に対する加熱と除湿ローター１０に対する加熱の２種類の加熱が行なわれている。
【００３１】
まず、空気に対する加熱は、吸気口１から本体ケース内に吸気した空気が、放熱器６で暖められ、次に、ＰＴＣヒーター１７のフィン２２によって整流しながら加熱され、更に、ＰＴＣヒーター１７のフィン２２によって整流された空気がニクロム線に当たることにより、一層加熱される。次に、除湿ローター１０に対する加熱は、ニクロム線で発熱した熱により直接、除湿ローター１０の放湿部１１が加熱されるものである。
【００３２】
このように、空気はＰＴＣヒーター１７のフィン２２によって加熱されながら整流された空気がニクロム線に当たり加熱され、温度むらが小さい空気がニクロム線に当たるので、ニクロム線の熱変形がほぼ均等になり、ニクロム線の型崩れを抑制できる。また、除湿ローター１０への加熱も温度むらが小さい空気がニクロム線に当たるので、ニクロム線での発熱がほぼ均等になり、除湿ローター１０の放湿部１１での熱変形も一様となり、除湿ローター１０の熱変形による寿命を延ばすことが出来る。
【００３３】
また、加熱手段１２であるＰＴＣヒーター１７からなるＰＴＣヒーターユニット２３の加熱面積は、ニクロムヒーター１８からなるニクロムヒーターユニット２０の加熱面積より大きいものである。
【００３４】
具体的には、まず、空気をＰＴＣヒーター１７で加熱する場合には、ＰＴＣヒーター１７のＰＴＣ素子２１で発熱した熱が、ＰＴＣ素子２１からフィン２２に伝わり、このフィン２２に空気が当たることによって空気を加熱する。一方、ニクロムヒーター１８で加熱する場合には、発熱したらせん状のニクロム線に空気が当たることによって空気を加熱するが、空気を加熱する場合には主に、ＰＴＣヒーター１７によって加熱されるので、ＰＴＣヒーターユニット２３の加熱面積であるフィン２２の表面積がニクロムヒーターユニット２０の加熱面積であるニクロム線の表面積より大きいことで空気への加熱が効率良く行うことが出来る。
【００３５】
また、加熱手段１２であるＰＴＣヒーターユニット２３が設けられる風路の風路断面積は、ニクロムヒーターユニット２０が設けられる風路の風路断面積より大きいものである。
【００３６】
このように、ＰＴＣヒーターユニット２３が設けられる風路の風路断面積がニクロムヒーターユニット２０が設けられる風路の風路断面積より大きいことにより、ＰＴＣヒーターユニット２３に多くのＰＣＴヒーター１７を搭載できるので、ＰＴＣヒーターユニット２３での通風抵抗を軽減できる。また、ＰＴＣヒーターユニット２３で整流された空気が、更に、風路断面積の狭まったニクロムヒーターユニット２０に徐々に狭まった連結風路を介して流れ込むので、整流された空気がニクロム線に当たり加熱され、温度むらが小さい空気がニクロム線に当たるので、ニクロム線の熱変形がほぼ均等になり、ニクロム線の型崩れを抑制できる。また、除湿ローター１０への加熱も温度むらが小さい空気がニクロム線に当たるので、ニクロム線での発熱がほぼ均等になり、除湿ローター１０の放湿部での熱変形も一様となり、除湿ローター１０の熱変形による寿命を延ばすことが出来る。
【００３７】
また、ＰＴＣヒーターユニット２３は略四角形であるので、複数のＰＴＣヒーター１７を同一面に効率よく並べて装着することが出来る。
【００３８】
（実施の形態２）
実施の形態２は図５および図６に示すように、実施の形態１に対し、ニクロムヒーターユニット２０ａが相違する。このニクロムヒーターユニット２０ａは、ニクロムヒーター１８を設けたニクロムヒーター風路部分２５と、ニクロムヒーターを通過しない通風路部２６とから形成され、ニクロムヒーター風路部分２５は通風路部２６より除湿ローター１０の回転方向において下流側に設けたものである。
【００３９】
すなわち、ニクロムヒーターユニット２０ａには２種類の風路が設けられている。まず、一方の風路は、ニクロムヒーター１８を設けたニクロムヒーター風路部分２５と、他方は、ニクロムヒーター１８を設けない、単なる通風路である通風路部２６である。よって、加熱手段１２ａであるＰＴＣヒーターユニット２３を通過した空気は、ニクロムヒーターユニット２０ａであるニクロムヒーター風路部分２５と通風路部２６とに分かれて流れ込む。そこで、ニクロムヒーター風路部分２５は通風路部２６より除湿ローター１０の回転方向において下流側に設けているので、除湿ローター１０は放湿部１１では、まず、除湿ローター１０が回転し、ニクロムヒーターユニットである通風路部２６に到達する。そこでＰＴＣヒーターユニット２３を通過し、加熱された中温度の空気がニクロムヒーターユニット２０ａである通風路部２６を介し、除湿ローター１０に送風されることにより、除湿ローター１０の湿気を放出させる。次に、除湿ローターが更に回転し、ニクロムヒーターユニット２０ａであるニクロムヒーター風路部分２５に到達すると、ＰＴＣヒーターユニット２３を通過し、加熱された空気がニクロムヒーターユニット２０ａであるニクロムヒーター風路部分２５で更に加熱した高温度の空気を除湿ローター１０に送風することにより、除湿ローター１０の湿気を一層放出させるともに、ニクロムヒーター１８で発熱した熱により直接、除湿ローター１０を加熱するものである。
【００４０】
これにより、除湿ローター１０が回転し、ニクロムヒーターユニット２０ａである通風路部２６とニクロムヒーター風路部分２５とで温度の違う空気を送風するとともに、ニクロム線で発熱した熱により直接、除湿ローター１０を加熱することにより、除湿ローターの湿気を放出させるものであるが、まず、中温度の空気を送風し、次に高温度の空気を送風するするとともに、ニクロム線で発熱した熱により直接、除湿ローター１０を加熱することにより、２段階で除湿ローター１０の温度を上げることにより、除湿ローター１０の放湿部１１での熱変形が急激に起こらず、２段階で起こることとなり、除湿ローター１０の熱変形による寿命を延ばすことが出来る。
【００４１】
また、ニクロムヒーターユニット２０ａのニクロムヒーター風路部分２５と通風路部２６は略扇形形状であるので、除湿ローター１０がニクロムヒーターユニット２０ａでの加熱によって、中心部から外周に向かって熱膨張が略扇形形状でほぼ均一に起こるので、除湿ローター１０の熱変形による寿命を延ばすことが出来る。
【００４２】
また、加熱手段１２ａであるＰＴＣヒーターユニット２３が設けられる風路の風路断面積はニクロムヒーターユニット２０ａが設けられる風路の風路断面積とほぼ同じである。
【００４３】
具体的には、加熱手段１２ａであるＰＴＣヒーターユニット２３が設けられる風路と、ニクロムヒーターユニット２０ａが設けられる風路の風路断面積がほぼ同じなので、ＰＴＣヒーターユニット２３で加熱された空気がニクロムヒーターユニット２０ａへ流れる時に、ＰＴＣヒーターユニット２３とほぼ同じ風路断面積である連結風路２４を介して、ニクロムヒーターユニット２０ａに流れるので、連結風路２４での通風抵抗を抑制できる。
【００４４】
また、ニクロムヒーターユニット２０ａの略扇形の角度は９０度で、略扇形の半径寸法はＰＴＣヒーターユニット２３の略四角形の一辺の寸法とほぼ同じであるので、ＰＴＣヒーターユニットで整流された空気が、連結風路２４を介して、ニクロムヒーターユニットに流れ込むので、略四角形から略扇形に変化する連結風路２４の断面形状がほぼ同形状となるので、連結風路２４の断面形状変化による通風抵抗を抑制することが出来る。
【００４５】
（実施の形態３）
実施の形態３は図７に示すように、実施の形態２に対し、ニクロムヒーターユニット２０ｂが相違する。
【００４６】
ニクロムヒーターユニット２０ｂは、ニクロムヒーター風路部分２５ｂの上流側と下流側との両方に通風路部２６ｂを設けた
すなわち、ニクロムヒーターユニット２０ｂには２種類の風路が３箇所に設けられている。まず、一方の風路は、ニクロムヒーター１８を設けたニクロムヒーター風路部分２５ｂと、他方は、ニクロムヒーター１８を通過しない単なる通風路である通風路部２６ｂである。よって、加熱手段であるＰＴＣヒーターユニット２３を通過した空気は、ニクロムヒーターユニット２０ｂであるニクロムヒーター風路部分２５ｂと通風路部２６ｂとに分かれて流れ込む。
【００４７】
そこで、ニクロムヒーターユニット２０ｂは、ニクロムヒーター風路部分２５ｂの上流側と下流側との両方に通風路部２６ｂを設けているので、除湿ローター１０は放湿部１１で、まず、除湿ローター１０が回転し、ニクロムヒーターユニット２０ｂである通風路部２６ｂに到達すると、ＰＴＣヒーターユニット２３を通過し、加熱された中温度の空気がニクロムヒーターユニット２０ｂである通風路部２６ｂを介し、除湿ローター１０に送風されることにより、除湿ローター１０の湿気を放出させる。
【００４８】
次に、除湿ローター１０が更に回転し、ニクロムヒーターユニット２０ｂであるニクロムヒーター風路部分２５ｂに到達すると、ＰＴＣヒーターユニット２３を通過し、加熱された空気がニクロムヒーターユニット２０ｂであるニクロムヒーター風路部分２５ｂで更に加熱した高温度の空気を除湿ローター１０に送風するするとともに、ニクロムヒーター１８で発熱した熱により直接、除湿ローター１０を加熱することにより、除湿ローター１０の湿気を一層放出させるものである。
【００４９】
更に、除湿ローター１０が回転し、ニクロムヒーターユニット２０ｂである通風路部２６ｂに到達すると、ＰＴＣヒーターユニット２３を通過し、加熱された中温度の空気がニクロムヒーターユニット２０ｂである通風路部２６ｂを介し、除湿ローター１０に送風されることにより、除湿ローター１０の湿気を放出させるとともに、除湿ローター１０の温度を中温度に低減する。
【００５０】
これにより、除湿ローター１０が回転し、ニクロムヒーターユニット２０ｂである通風路部２６ｂとニクロムヒーター風路部分２５ｂとで温度の違う空気を送風するするとともに、ニクロム線で発熱した熱により直接、除湿ローター１０を加熱することにより、除湿ローター１０の湿気を放出させるものであるが、まず、中温度の空気を送風し、次に高温度の空気を送風するとともに、ニクロム線で除湿ローター１０を加熱し、更に中温度の空気を送風することにより、３段階で除湿ローターの温度を上げ下げすることにより、除湿ローターの放湿部での温度上昇時と温度下降時での熱変形が急激に起こらず、それぞれ２段階で温度変化が起こることとなり、除湿ローターの熱変形による寿命を延ばすことが出来る。
【産業上の利用可能性】
【００５１】
以上のように本発明は、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口との間の風路に設け、前記放湿部は前記放熱器と前記吸熱器との間の風路に設け、前記放熱器と前記放湿部との間の風路に加熱手段を設けた構成とし、この加熱手段はニクロムヒーターとＰＴＣヒーターとを電気的に直列接続することにより形成したものであり、加熱手段の温度上昇に対する更なる安全性を確保することができるものである。
【００５２】
すなわち、放熱器と放湿部との間の風路に設けた加熱手段は、ニクロムヒーターとＰＴＣヒーターとを電気的に直列接続し形成しているので、吸気口に埃などが詰まり加熱手段への送風が減少すると、まず、ＰＴＣヒーターの温度が高くなる。そこで、ＰＴＣヒーターの特性として、ＰＴＣヒーターの電気抵抗も大きくなり、発熱量が低下し、ＰＴＣヒーターの温度は一定に制御される。また、ニクロムヒーターはＰＴＣヒーターと電気的に直列接続されているので、ＰＴＣヒーターの電気抵抗が大きくなると、ＰＴＣヒーターでの電圧降下が大きくなるので、それに伴い、ニクロムヒーターへの供給電圧が低くなり、ニクロムヒーターの発熱量が低下し、ニクロムヒーターの温度上昇は抑制される。つまり、加熱手段への送風が減少した場合に、ニクロムヒーターとＰＴＣヒーターとを電気的に直列接続しているので、ＰＴＣヒーターはＰＴＣヒーター自身の温度を一定に制御出来るとともに、ニクロムヒーターの温度上昇も抑制することが出来るものである。
【００５３】
これらの結果により、除湿ローターの開口が塞がることにより、除湿ローターを通過する風量が低下しても、加熱手段に対する更なる安全性を確保することができるものである。
【００５４】
従って、家庭用や事務所用などの、除湿装置として活用が期待されるものである。
【図面の簡単な説明】
【００５５】
【図１】本発明の実施の形態１の除湿装置の概略断面図
【図２】本発明の実施の形態１の除湿装置の加熱手段を示す図
【図３】本発明の実施の形態１の除湿装置の加熱手段を示す図
【図４】本発明の実施の形態１の除湿装置の加熱手段を示す図
【図５】本発明の実施の形態２の除湿装置の加熱手段を示す図
【図６】本発明の実施の形態２の除湿装置の加熱手段を示す図
【図７】本発明の実施の形態３の除湿装置の加熱手段を示す図
【符号の説明】
【００５６】
１      吸気口
２      排気口
３      本体ケース
４      ヒートポンプ
５      圧縮機
６      放熱器
７      膨張手段
８      吸熱器
９      送風手段
１０    除湿ローター
１１    放湿部
１２    加熱手段
１２ａ  加熱手段
１３    吸湿部
１６    駆動手段
１７    ＰＴＣヒーター
１８    ニクロムヒーター
１９    固定枠
２０    ニクロムヒーターユニット
２０ａ  ニクロムヒーターユニット
２０ｂ  ニクロムヒーターユニット
２１    ＰＴＣ素子
２２    フィン
２３    ＰＴＣヒーターユニット
２４    連結風路
２５    ニクロムヒーター風路部分
２５ｂ  ニクロムヒーター風路部分
２６    通風路部
２６ｂ  通風路部
【図１】
2010234253.tif 000003
【図２】
2010234253.tif 000004
【図３】
2010234253.tif 000005
【図４】
2010234253.tif 000006
【図５】
2010234253.tif 000007
【図６】
2010234253.tif 000008
【図７】
2010234253.tif 000009